(57)【要約】【課題】小型軽量であって、しかも嵩張らない状態で衣服に装着でき、折り畳み式携帯電話機の種々の形状寸法にも対応できるものとした携帯電話機用ハンガーを提供する。【解決手段】ベルトや衣類ポケット等の被掛架部位Ｑを挟み込んで掛架保持すべく略Ｕ字型を呈する枠材の左右両端部それぞれを下方に折曲して形成した左右対称な逆Ｕ字状の掛架部２と、掛架部２より更に先端の左右両端部をそれぞれ上方に折り返して形成した左右対称なＵ字状のアーム部３と、Ｕ字状の左右両アーム部３に巻装した帯部材による携帯電話機挿入部４とを備えて成るものとする。【選択図】          図１
2005065753.tif 000002
【特許請求の範囲】
【請求項１】
携帯電話機をベルトや衣類ポケット等の被掛架部位に装着させる携帯電話機用ハンガーであって、被掛架部位を挟み込んで掛架保持させるよう略Ｕ字型を呈する枠材の左右両端部それぞれを下方に折曲して形成された左右対称な逆Ｕ字状の掛架部と、掛架部より更に先端の左右両端部をそれぞれ上方に折り返して形成された左右対称なＵ字状のアーム部と、Ｕ字状の左右両アーム部に巻装された帯部材による携帯電話機挿入部とを備えて成ることを特徴とする携帯電話機用ハンガー。
【請求項２】
掛架部における左右両端部の基端側は、外側へ向けて若干湾曲されて成る請求項１記載の携帯電話機用ハンガー。
【請求項３】
携帯電話機挿入部は、ビニール、布等のシート部材によって形成されている請求項１または２記載の携帯電話機用ハンガー。
【発明の詳細な説明】
【０００１】
【発明の属する技術分野】
本発明は、主として折り畳み式の携帯電話機をベルトや衣類等に装着させるために使用される携帯電話機用ハンガーに関する。
【０００２】
【従来の技術】
従来の携帯電話機用のケースは、その殆どがポケット状のケース（特許文献３、４参照）であり、一方、折り畳み式の携帯電話機においては、デイスプレイ部、ダイヤル部をそれぞれの袋状のケースに入れて折り畳み、ベルトに取り付ける金具やベロ状の取付部材でベルトに取り付けているのが実状である（特許文献１、２参照）。
【０００３】
【特許文献１】
特開平１１−３２８２９号公報
【０００４】
【特許文献２】
特許平１１−２１８号公報
【０００５】
【特許文献３】
実用新案登録第３０８３１４９号公報
【０００６】
【特許文献４】
特開２００１―２９９４２９号公報
【０００７】
【発明が解決しようとする課題】
しかしながら、従来においては、いずれの場合も携帯電話機とベルトとの間にケースと取付部材があるため、装着時にかなり嵩張るものとなる。このような状態であるため殆どの女性は手で持つか、ハンドバックやカバンの中に入れているのが実状である。男性においてもワイシャツや衣服のポケットに入れており、かなりの重量感と不安定さと嵩張りを感じている。着信においてもマナーモード設定をしている場合には、女性においてはハンドバックやカバンに入れているため、着信を感知するのが難しい場合もあり、常時、着信を確認する行為をしばしば見かける。また、男性の場合はワイシャツやスーツのポケットに入れている場合が多いが、状態によっては着信を感知することができない場合もあった。
【０００８】
そこで、本発明は叙上のような従来存した諸事情に鑑み創出されたもので、折り畳み式携帯電話機に便利で、小型軽量であって、しかも嵩張らない状態で衣服に装着でき、折り畳み式携帯電話機の種々の形状寸法にも対応できて、殆どの携帯電話機でも使用できるものとした携帯電話機用ハンガーを提供することを目的とする。
【０００９】
【課題を解決するための手段】
本発明にあっては、携帯電話機Ｐをベルトや衣類ポケット等の被掛架部位に装着させる携帯電話機用ハンガーであって、被掛架部位を挟み込んで掛架保持させるよう略Ｕ字型を呈する枠材の左右両端部それぞれを下方に折曲して形成された左右対称な逆Ｕ字状の掛架部と、掛架部より更に先端の左右両端部をそれぞれ上方に折り返して形成された左右対称なＵ字状のアーム部と、Ｕ字状の左右両アーム部に巻装された帯部材による携帯電話機挿入部とを備えて成ることを特徴とする。
【００１０】
また、掛架部における左右両端部の基端側は、外側へ向けて若干湾曲されて成るものとすることができる。
【００１１】
さらに、携帯電話機挿入部は、ビニール、布等のシート部材によって形成されているものとすることができる。
【００１２】
【発明の実施の形態】
以下、本発明を実施する最良の形態について図面を参照して説明すると、図に示す符号１は、携帯電話機Ｐをベルトや衣類ポケット等の被掛架部位Ｑに装着させるために使用される、例えば略Ｕ字状の剛性枠材の左右両端を略蛇行状に折り畳んで成る携帯電話機用のハンガー本体であって、その表面全体は任意の色を呈する防錆製ビニール材あるいはメッキ等によって被覆されている。
【００１３】
すなわち、ハンガー本体１は、図３に示すように、略Ｕ字型を呈する長尺なバネ性を有する剛性枠材の左右両端部それぞれを下方に折曲することで、下方へ行くに従って隙間が次第に狭幅となる逆Ｕ字状の掛架部２を形成してあり、この掛架部２を被掛架部位Ｑの上方側から挿入して被掛架部位Ｑ自体を挟み込むことでハンガー本体１自体を掛架保持させるようにしてある。このとき、衣類と被掛架部位Ｑとの間への掛架部２の挿入がスムーズに行えるように、掛架部２における左右両端部の基端側２ａを、外側へ向けて若干湾曲させてある（図３（ｂ）参照）。
【００１４】
また、掛架部２より更に先端の左右両端部は、それぞれ上方に折り返すことで左右対称なＵ字状のアーム部３が形成されている。そして、Ｕ字状の左右両アーム部３には、例えばビニール、布等のシート部材によって形成されている帯部材４ａによる携帯電話機挿入部４を巻装してある。
【００１５】
携帯電話機挿入部４は、上述の帯部材４ａを図示のようにアーム３の外側から掛架部２の内側を通してアーム３の外側で両端を固定することで形成する。この構造により携帯電話機Ｐの厚さが異なっていても調整可能となり、厚い場合はアーム部３が内側に移動する。この動きで被掛架部位Ｑに操作部Ｐ１の裏面を直接接触することができ、着信振動を感知することが可能となる。
なお、帯部材４ａの正面中央上方には、外側へ折曲するガイド突起４ｂが形成されており、被掛架部位Ｑに装着中における携帯電話機Ｐの挿入を容易にしてある。
【００１６】
次に、以上のように構成された最良の形態についての使用の一例を説明するに、図１に示すように、先ず、折り畳み式の携帯電話機Ｐを予め開いておいてから、携帯電話機Ｐの操作部側Ｐ１をハンガー本体１の携帯電話機挿入部４に挿入する。このとき、携帯電話機Ｐのヒンジ部５が携帯電話機挿入部４の前面側上縁部に係止される位置まで挿入してから表示部側Ｐ２を操作部側Ｐ１に閉じ込む。そして、ハンガー本体１の掛架部２を被掛架部位Ｑの上方側から挿入し、被掛架部位Ｑ自体を挟み込むようにしてハンガー本体１自体を被掛架部位Ｑに掛架保持させるのである。これによって携帯電話機Ｐを嵩張らない状態で衣服に装着させることができ、しかも折り畳み式携帯電話機Ｐの種々の形状寸法にも対応させることができるものとなる。
【００１７】
このように折り畳み式の携帯電話機Ｐを少し開いてから、携帯電話機Ｐの操作部側Ｐ１と表示部側Ｐ２で携帯電話機挿入部４の帯部材４ａを挟み込むが、その後表示部側Ｐ２を操作部側Ｐ１に閉じ込んでも、元来携帯電話機Ｐには、折り畳み時に操作部側Ｐ１と表示部側Ｐ２が直接接しないように２個の突起部で作られた隙間があるため、帯部材４ａが支障となることはないものである。
【００１８】
【発明の効果】
本発明は、以上のように構成されているために、特にハンガータイプであるため嵩張らないものとなり、しかも男性女性を問わず使用できる。すなわち、被掛架部位として、例えば男性の場合にはベルトあるいはベルト無しズボン等に、一方、女性の場合には、スカートあるいはスラックスのベルト部分等にそれぞれ装着使用できる。また、携帯電話機自体が衣服に直接装着されるので、マナーモード状態でも着信感知が可能である。さらに、携帯電話機を衣服に装着したままでもイヤホンマイクが使用できて会話が容易に行える。
【００１９】
すなわち、本発明に係る携帯電話機用ハンガーは、携帯電話機本体とハンガー本体とが直接、被掛架部位である、例えばベルト部分（女性の場合はスカートやスラックスのベルト部分）に挟み込む方式で装着することができるため、嵩張らないのみでなく、着信状況が身体で感知でき、通常では気にならない。また、この状態でイヤホンマイクを使用すれば衣服に装着したままの状態で会話が容易に行える。さらに、着信バイブレーションの感知も身体の一部と考えられた携帯ハンガーであり、男女を問わずスマートに衣服に装着できて便利である。
なお、本発明は携帯電話機以外の折り畳み式ＯＰＤＡ等にも利用可能なものである。
【図面の簡単な説明】
【図１】本発明を実施するための最良の形態における分解状態の一部切欠斜視図である。
【図２】同じく組付使用状態の一部切欠斜視図である。
【図３】同じくハンガー本体の一例を示すもので、（ａ）は正面図、（ｂ）は左側面図である。
【符号の説明】
Ｐ  携帯電話機
Ｑ  被掛架部位
１  ハンガー本体
２  掛架部
３  アーム部
４  携帯電話機挿入部
【図１】
2005065753.tif 000003
【図２】
2005065753.tif 000004
【図３】
2005065753.tif 000005